(57)【要約】【課題】ディスクリートトラック媒体上で、従来の連続膜からなる磁気記録層を含む磁気記録媒体と同様の検査が可能な磁気記録装置を提供する。【解決手段】磁気記録可能な幅Ｌ１の記録トラックと、隣接する記録トラック間に設けられた非記録部と、前記記録トラックの幅Ｌ１より広い幅Ｌ２をもつワイドランドトラックとを有する磁気記録媒体と、記録再生ヘッドを有するヘッドスライダとを具備したことを特徴とする磁気記録装置。【選択図】図１
2010257529.tif 000002
【特許請求の範囲】
【請求項１】
磁気記録可能な幅Ｌ１の記録トラックと、隣接する記録トラック間に設けられた非記録部と、前記記録トラックの幅Ｌ１より広い幅Ｌ２をもつワイドランドトラックとを有する磁気記録媒体と、
記録再生ヘッドを有するヘッドスライダと
を具備したことを特徴とする磁気記録装置。
【請求項２】
前記記録トラックの幅Ｌ１は前記記録再生ヘッドの再生幅ＭＲＷより狭く、前記ワイドランドトラックの幅Ｌ２は前記記録再生ヘッドの再生幅ＭＲＷより広いことを特徴とする請求項１に記載の磁気記録装置。
【請求項３】
前記記録トラックの両側に隣接するいずれか狭い方の第１の非記録部の幅をＧ１としたとき、前記ヘッドスライダの幅内で前記ワイドランドトラックの近傍に第１の非記録部の幅Ｇ１よりも広い幅Ｇ２をもつ第２の非記録部が設けられていることを特徴とする請求項１に記載の磁気記録装置。
【請求項４】
前記第２の非記録部は前記ワイドランドトラックに隣接していることを特徴とする請求項３に記載の磁気記録装置。
【請求項５】
前記第２の非記録部の幅Ｇ２は、前記記録再生ヘッドの再生幅ＭＲＷより広いことを特徴とする請求項３に記載の磁気記録装置。
【請求項６】
前記ワイドランドトラックの内周側および外周側に、１つ以上の記録トラックを有することを特徴とする請求項１に記載の磁気記録装置。
【請求項７】
前記ワイドランドトラックは、前記ヘッドスライダのスキュー角がゼロである位置に設けられていることを特徴とする請求項１に記載の磁気記録装置。
【請求項８】
磁気記録可能な幅Ｌ１の記録トラックと、
隣接する記録トラック間に設けられた非記録部と、
前記記録トラックの幅Ｌ１より広い幅Ｌ２をもつワイドランドトラックと
を具備したことを特徴とする磁気記録媒体。
【請求項９】
前記記録トラックの両側に隣接するいずれか狭い方の第１の非記録部の幅をＧ１としたとき、前記ワイドランドトラックから径方向に１ｍｍの範囲内に前記第１の非記録部の幅Ｇ１よりも広い幅Ｇ２をもつ第２の非記録部が設けられていることを特徴とする請求項８に記載の磁気記録装置。
【請求項１０】
前記第２の非記録部は前記ワイドランドトラックに隣接していることを特徴とする請求項９に記載の磁気記録装置。
【請求項１１】
前記ワイドランドトラックの幅Ｌ２は、前記記録トラックの幅Ｌ１および前記第１の非記録部の幅Ｇ１と、下記の関係
Ｌ２≧Ｌ１＋２Ｇ１
を満たすことを特徴とする請求項８に記載の磁気記録媒体。
【請求項１２】
前記ワイドランドトラックの内周側および外周側に、１つ以上の記録トラックを有することを特徴とする請求項８に記載の磁気記録媒体。
【請求項１３】
請求項１〜７のいずれかに記載の磁気記録装置の検査方法であって、前記ワイドランドトラックを用いて、前記ヘッドスライダの浮上高検査、前記記録再生ヘッドの電圧電流検査、および信号劣化検査から選択される検査を行うことを特徴とする磁気記録装置の検査方法。
【請求項１４】
前記第２の非記録部を用いて、非記録部の磁気特性検査を行うことを特徴とする請求項１３に記載の磁気記録装置の検査方法。
【発明の詳細な説明】
【技術分野】
【０００１】
本発明は、磁気記録装置、磁気記録媒体、および磁気記録装置の検査方法に関する。
【背景技術】
【０００２】
磁気記録媒体の記録密度を向上させるためには、記録トラック間の磁気記録層を除去するかまたは変性させて非記録部を形成し、隣接する記録トラック間の記録再生に関する干渉を抑えたディスクリートトラック媒体を用いるディスクリートトラック型磁気記録装置が有効である。
【０００３】
ところで、磁気記録装置においては、記録再生ヘッドの浮上高検査、記録再生ヘッドの電圧電流検査、および信号劣化検査を行う。これらの検査の結果に基づいて、磁気記録装置のパラメータを調整する。
【０００４】
従来の磁気記録装置に搭載されている磁気記録媒体は、非記録部をもたない連続膜からなる磁気記録層を含んでいるので、上記の検査および検査結果に基づくパラメータ調整を容易に行うことができる。
【０００５】
しかし、ディスクリートトラック媒体上のディスクリートトラックを用いて、記録再生ヘッドの浮上高検査、記録再生ヘッドの電圧電流検査、および信号劣化検査を行うことは困難である。
【０００６】
特許文献１には、ディスクリートトラックが形成されているデータ領域に対して外側領域または内側領域に磁気ヘッドに加わる揚力を調整するための溝を設けたディスクリートトラック媒体が開示されている。
【０００７】
しかし、このような媒体では、記録再生ヘッドの浮上高以外のパラメータの調整は困難である。
【先行技術文献】
【特許文献】
【０００８】
【特許文献１】特開２００５−３８４７６号公報
【発明の概要】
【発明が解決しようとする課題】
【０００９】
本発明の目的は、ディスクリートトラック媒体上で、従来の連続膜からなる磁気記録層を含む磁気記録媒体と同様の検査が可能な磁気記録装置を提供することにある。
【課題を解決するための手段】
【００１０】
本発明の一実施形態によれば、磁気記録可能な幅Ｌ１の記録トラックと、隣接する記録トラック間に設けられた非記録部と、前記記録トラックの幅Ｌ１より広い幅Ｌ２をもつワイドランドトラックとを有する磁気記録媒体と、記録再生ヘッドを有するヘッドスライダとを具備したことを特徴とする磁気記録装置が提供される。
【００１１】
本発明の他の実施形態によれば、磁気記録可能な幅Ｌ１の記録トラックと、隣接する記録トラック間に設けられた非記録部と、前記記録トラックの幅Ｌ１より広い幅Ｌ２をもつワイドランドトラックとを具備したことを特徴とする磁気記録媒体が提供される。
【発明の効果】
【００１２】
本発明の磁気記録装置によれば、ワイドランドトラックを用いて、記録再生ヘッドの浮上高検査、記録再生ヘッドの電圧電流検査、および信号劣化検査を行うことができるので、記録トラックを含むデータ領域での記録再生ヘッドの浮上高および記録再生条件を調整することができ、かつ磁気記録装置出荷後の故障を抑えることができる。
【図面の簡単な説明】
【００１３】
【図１】本発明の実施形態に係る磁気記録媒体の平面図。
【図２】記録トラックおよびワイドランドトラックの配置の一例を示す平面図。
【図３】サーボ領域およびデータ領域の模式図。
【図４】サーボ領域およびデータ領域における磁性パターンの一例を示す平面図。
【図５】本発明の実施形態に係る磁気記録装置のブロック図。
【図６】本発明に係る第１の磁気記録媒体の平面図。
【図７】本発明に係る第２の磁気記録媒体の平面図。
【図８】本発明に係る第３の磁気記録媒体の平面図。
【図９】本発明に係る第４の磁気記録媒体の平面図。
【図１０】本発明に係る第５の磁気記録媒体の平面図。
【図１１】本発明に係る第６の磁気記録媒体の平面図。
【図１２】本発明に係るＤＴＲ媒体の製造方法を示す断面図。
【図１３】再生幅ＭＲＷの測定方法を説明する図。
【発明を実施するための形態】
【００１４】
以下、図面を参照しながら本発明の実施形態を説明する。  
図１に本発明の実施形態に係る磁気記録媒体（ＤＴＲ媒体）１の概略的な平面図を示す。図１にはデータ領域２とサーボ領域３を示している。データ領域２はユーザーデータが記録される領域である。後により詳細に説明するように、データ領域２にはパターン化された磁気記録層からなる記録トラック（ディスクリートトラック）が形成されるとともに、記録トラックの幅Ｌ１より広い幅Ｌ２を有するワイドランドトラック１２が形成されている。図１では、ワイドランドトラック１２を媒体の中周部のみに形成しているが、複数の領域、たとえば内周部、中周部および外周部の３つ領域に形成してもよい。媒体面上でのサーボ領域３の形状は、ヘッドスライダがアクセスする際に描く軌跡に対応する円弧状となっている。サーボ領域３の周方向長さは、半径位置が外周側になるほど長くなっている。図１では１５のサーボ領域３を図示しているが、実際の媒体では１００以上のサーボ領域３が形成されている。
【００１５】
図２は、記録トラックおよびワイドランドトラックの配置の一例を示す平面図である。データ領域２はサーボ領域３によってセクタ分割されている。データ領域２には、周方向に延びる多数の幅Ｌ１の記録トラック（ディスクリートトラック）１１と幅Ｌ２のワイドランドトラック１２が形成されている。記録トラック１１はユーザーデータの磁気記録に用いられ、ワイドランドトラック１２は媒体の検査に用いられる。径方向に沿って隣接する記録トラック１１どうしの間および記録トラック１１とワイドランドトラック１２との間の領域は非記録部２０となっている。ワイドランドトラック１２の幅Ｌ２は、記録トラック１１の幅Ｌ１よりも広い。
【００１６】
図３はサーボ領域およびデータ領域の模式図である。図４はサーボ領域およびデータ領域における磁性パターンの一例を示す平面図である。
【００１７】
サーボ領域３は、プリアンブル部３１、アドレス部３２、バースト部３３などを含む。サーボ領域３のプリアンブル部３１、アドレス部３２およびバースト部３３には、サーボ信号を与える磁性パターンおよび非記録部が形成されている。これらの部分は以下のような機能を有する。
【００１８】
プリアンブル部３１は、メディアの回転偏心などにより生ずる時間ズレに対し、サーボ信号再生用クロックを同期させるＰＬＬ処理や、信号再生振幅を適正に保つＡＧＣ処理を行うために設けられている。プリアンブル部３１では、半径方向に分断されることなく連続して放射状に略円弧をなして凸部の記録部が、周方向に繰返して形成されている。
【００１９】
アドレス部３２は、サーボマークと呼ばれるサーボ信号認識コードや、セクタ情報、シリンダ情報などが、プリアンブル部３１の周方向ピッチと同一ピッチで、マンチェスタコードにより形成されている。特に、シリンダ情報は、サーボトラック毎にその情報が変化するパターンとなるため、シーク動作時のアドレス判読ミスの影響が小さくなるように、隣接トラックとの変化が最小となるグレイコードに変換してから、マンチェスタコード化して記録されている。
【００２０】
バースト部３３は、シリンダアドレスのオントラック状態からのオフトラック量を検出するためのオフトラック検出用領域で、径方向にパターン位相をずらした４種のマーク（Ａ、Ｂ、Ｃ、Ｄバーストと呼ばれる）が形成されている。各バーストには、周方向に複数個のマークがプリアンブル部と同一のピッチで配置されている。各バーストの径方向周期は、アドレスパターンが変化する周期、換言すればサーボトラック周期に比例する。各バーストは、周方向に約１０周期分形成され、径方向にサーボトラック周期の２倍長の周期で繰返すように形成されている。
【００２１】
バースト部３３のマーク形状は長方形、または厳密にはヘッドアクセス時のスキュー角を考慮した平行四辺形になるように設計されるが、スタンパ加工精度や転写形成などの加工性能によっては多少丸みを帯びた形状になる。なお、マークは非記録部として形成してもよいし、記録部として形成してもよい。バースト部３３から位置を検出する原理については詳細を省略するが、各ＡＢＣＤバーストの再生信号の平均振幅値を演算処理してオフトラック量を算出する。
【００２２】
図４に示すように、記録トラック１１およびワイドランドトラック１２のいずれにおいても、サーボパターンを用いて記録再生ヘッドの位置決めが行われる。
【００２３】
本発明において、記録トラック、ワイドランドトラックおよびサーボパターンを構成する磁性パターンと非記録部は、磁気記録層の厚みの違いによって区別してもよいし、磁気記録層の特性変化たとえば結晶状態の違いにより区別してもよい。磁性パターンと非記録部を磁気記録層の厚みの違いによって区別する場合、凹部の磁気記録層を全て除去してもよいし、凹部の磁気記録層を一部残してもよい。また、磁性パターン間の凹部に非磁性材料を埋め込んだ後に表面を平坦化してもよい。
【００２４】
次に、本発明の実施形態に係る磁気記録装置について説明する。図５に本発明の実施形態に係る磁気記録装置のブロック図を示す。この図では磁気記録媒体の上面にのみヘッドスライダを示しているが、磁気記録媒体の両面にディスクリートトラックを有する垂直磁気記録層が形成されており、この磁気記録媒体の上下面にダウンヘッド／アップヘッドがそれぞれ設けられる。
【００２５】
ディスクドライブは、ヘッド・ディスクアセンブリ（ＨＤＡ）１００と呼ばれる本体部と、プリント回路基板（ＰＣＢ）２００とからなる。
【００２６】
ヘッド・ディスクアセンブリ（ＨＤＡ）１００は、磁気記録媒体（ＤＴＲ媒体）１と、磁気記録媒体１を回転させるスピンドルモータ１０１と、ピボット１０２を中心に回動するアクチュエータアーム１０３と、アクチュエータアーム１０３の先端に取り付けられたサスペンション１０４と、サスペンション１０４に支持され再生ヘッドおよび記録ヘッドを含むヘッドスライダ１０５と、アクチュエータアーム１０３を駆動するボイスコイルモータ（ＶＣＭ）１０６と、ヘッドの入出力信号を増幅するヘッドアンプ（図示せず）などを有する。ヘッドアンプ（ＨＩＣ）はアクチュエータアーム１０３上に設けられ、フレキシブルケーブル（ＦＰＣ）１２０を通してプリント回路基板（ＰＣＢ）２００に接続されている。なお、上記のようにヘッドアンプ（ＨＩＣ）をアクチュエータアーム１０３上に設ければヘッド信号のノイズを有効に低減できるが、ヘッドアンプ（ＨＩＣ）はＨＤＡ本体に固定してもよい。
【００２７】
上述したように磁気記録媒体１には両面に垂直磁気記録層が形成され、両面のそれぞれにおいて、ヘッドが移動する軌跡に一致するようにサーボ領域が円弧をなして形成されている。磁気記録媒体の仕様は、ドライブに適応した外径および内径、記録再生特性などを満足する。サーボ領域がなす円弧の半径は、ピボットから磁気ヘッド素子までの距離として与えられる。
【００２８】
プリント回路基板（ＰＣＢ）２００は、４つの主要なシステムＬＳＩを搭載している。これらは、ディスクコントローラ（ＨＤＣ）２１０、リード／ライトチャネルＩＣ２２０、ＭＰＵ２３０およびモータドライバＩＣ２４０である。
【００２９】
ＭＰＵ２３０はドライブ駆動システムの制御部であり、本実施形態に係るヘッド位置決め制御システムを実現するＲＯＭ、ＲＡＭ、ＣＰＵおよびロジック処理部を含む。ロジック処理部はハードウェア回路で構成された演算処理部であり、高速演算処理が行われる。また、その動作ソフト（ＦＷ）はＲＯＭに保存されており、このＦＷに従ってＭＰＵがドライブを制御する。
【００３０】
ディスクコントローラ（ＨＤＣ）２１０はハードディスク内のインターフェース部であり、ディスクドライブとホストシステム（例えばパーソナルコンピュータ）とのインターフェースや、ＭＰＵ、リード／ライトチャネルＩＣ、モータドライバＩＣとの情報交換を行い、ドライブ全体を管理する。
【００３１】
リード／ライトチャネルＩＣ２２０はリード／ライトに関連するヘッド信号処理部であり、ヘッドアンプ（ＨＩＣ）のチャネル切替えやリード／ライトなどの記録再生信号を処理する回路で構成される。
【００３２】
モータドライバＩＣ２４０は、ボイスコイルモータ（ＶＣＭ）７７およびスピンドルモータ７２の駆動ドライバ部であり、スピンドルモータ７２を一定回転に駆動制御したり、ＭＰＵ２３０からのＶＣＭ操作量を電流値としてＶＣＭ７７に与えてヘッド移動機構を駆動したりする。
【００３３】
次に、本発明に係る磁気記録媒体における記録トラック、ワイドランドトラック、および非記録部のパターンについてより詳細に説明する。
【００３４】
図６に本発明に係る第１の磁気記録媒体の平面図を示す。図６においては、データ領域に、周方向に延びる多数の幅Ｌ１の記録トラック１１と幅Ｌ２のワイドランドトラック１２が形成されており、ワイドランドトラックの幅Ｌ２は記録トラックの幅Ｌ１よりも広い。径方向に沿って隣接する記録トラック１１どうしおよび記録トラック１１とワイドランドトラック１２は、同じ幅の非記録部２０によって分断されている。上述したように、記録トラック１１はユーザーデータの磁気記録に用いられ、ワイドランドトラック１２は媒体の検査に用いられる。
【００３５】
図７に本発明に係る第２の磁気記録媒体の平面図を示す。図７には、図６と同様の記録トラック１１とワイドランドトラック１２を有する媒体上にロードされた再生素子による再生幅ＭＲＷ（magnetic read width）を示している。再生幅ＭＲＷは、媒体上の磁気記録が再生素子によってクロストラック方向にどれだけの幅で読み取られるかを示す値である。記録トラック１１の幅Ｌ１は再生幅ＭＲＷより狭く、ワイドランドトラック１２は再生幅ＭＲＷより広い。
【００３６】
図１３を参照して、再生幅ＭＲＷの測定方法を説明する。
【００３７】
（１）記録再生ヘッドにより媒体上に一定周波数の信号を記録する。
【００３８】
（２）記録再生ヘッドをクロストラック方向にオフセットさせて、（１）で記録した信号を読み取る。図１３の実線は、再生素子の位置（オフセット量）と再生信号強度との関係を示す。
【００３９】
（３）（２）で得られたプロファイルを台形近似する。図１３の破線は、台形近似されたプロファイルを示す。得られた台形の片側の斜辺の幅に相当する再生素子のオフセット量がＭＲＷである。図１３では、ＭＲＷは６０［ｎｍ］である。
【００４０】
本発明に係る磁気記録装置において、ワイドランドトラック１２上で検査された再生信号の特性は、連続膜からなる磁気記録層を有する媒体上で検査された再生信号と同等の特性であることが要求される。したがって、ワイドランドトラック１２の幅Ｌ２を再生素子の再生幅ＭＲＷより広くする。また、ワイドランドトラック１２上で検査された再生信号の特性に基づいて、本発明に係る磁気記録装置のパラメータ調整が行われる。一方、記録トラック１１上では再生信号の検査を行わないので、記録トラック１１の幅Ｌ１は再生幅ＭＲＷより広くする必要がない。逆に、記録トラック１１に記録された信号を高い強度で読み取るために、再生素子の再生幅ＭＲＷを記録トラック１１の幅Ｌ１より広くすることが望ましい。
【００４１】
図８に本発明に係る第３の磁気記録媒体の平面図を示す。図８の磁気記録媒体において図６の磁気記録媒体と異なるのは、隣接する２つの記録トラック１１間の第１の非磁性部２１（厳密には記録トラック１１の両側の非磁性部のうち狭い方を、第１の非磁性部２１と定義する）の幅をＧ１としたとき、ワイドランドトラック１２の両側に、第１の非磁性部２１の幅Ｇ１よりも広い幅Ｇ２をもつ第２の非磁性部２２が設けられている点である。
【００４２】
本発明に係る磁気記録媒体の製造方法には、後述するように磁気記録層上に塗布されたレジストにスタンパを押し付けて凹凸パターンを転写するインプリント工程が含まれる。インプリント工程では、非記録部に相当する部分のレジストがスタンパの凸部によって押し込まれ、押し出されたレジストが当該非記録部に隣接した記録部に相当するスタンパ凹部に移動する結果、レジストに凹凸パターンが転写される。こうして形成されたレジストパターンは磁気記録層を加工する際にマスクとして機能するため、凸部のレジストの厚さが不十分であると磁気記録層の加工ができなくなる。
【００４３】
ワイドランドトラックに対応するスタンパの凹部の幅は記録トラックに対応するスタンパの凹部の幅よりも広いため、ワイドランドトラック上のレジストの凸部の厚さを確保するためには、記録トラックの場合よりも多くのレジストを必要とする。すなわち、ワイドランドトラックに対応するスタンパの凹部に対して、近傍のスタンパ凸部からより多くのレジストを供給する必要がある。この目的のために、ワイドランドトラック１２の両側に、隣接する２つの記録トラック１１間の第１の非磁性部２１の幅Ｇ１よりも広い幅Ｇ２をもつ第２の非磁性部２２を設けることが好ましい。
【００４４】
図９に本発明に係る第４の磁気記録媒体の平面図を示す。図９に示すように、幅Ｇ２をもつ第２の非磁性部２２を必ずしもワイドランドトラック１２の両側に設ける必要はなく、ヘッドスライダの幅内でワイドランドトラック１２の近傍に幅Ｇ２をもつ第２の非記録部２２を設ければよい。
【００４５】
ここで、ヘッドスライダの浮上高は、その下の媒体表面の凹凸によって影響を受ける。具体的には、凹部が凸部と比較して広いほどヘッドスライダの浮上高は下がり、凸部が凹部と比較して広いほどヘッドスライダの浮上高は上がる。本発明に係る磁気記録媒体では、ワイドランドトラック１２の幅Ｌ２が記録トラック１１の幅Ｌ１と比較して広いため、ヘッドスライダ１０５の下方にワイドランドトラック１２が位置していると、ヘッドスライダ１０５の浮上高が上がる可能性がある。このようなヘッドスライダ１０５の浮上高の変動を避けるには、ヘッドスライダ１０５の幅内でワイドランドトラック１２の近傍に幅Ｇ２をもつ第２の非記録部２２を設けることが好ましい。ヘッドスライダ１０５の幅Ｗとは、図９に示すように、ヘッドスライダ１０５にスキュー角が生じている場合には、媒体上に投影したヘッドスライダ１０５の径方向の長さをいう。したがって、スキュー角ゼロの位置でヘッドスライダ１０５の幅Ｗが最も小さくなる。本発明においては、スキュー角ゼロの位置で、ヘッドスライダ１０５の幅内でワイドランドトラック１２の近傍に幅Ｇ２をもつ第２の非記録部２２が含まれていればよい。
【００４６】
通常のヘッドスライダは媒体に面したサイズが縦横１ｍｍ×１ｍｍの矩形以下であることが一般的であるため、ワイドランドトラック１２から媒体の径方向に１ｍｍ以内の範囲に幅Ｇ２の非記録部２２を設けることが好ましい。
【００４７】
なお、ワイドランドトラック１２と第２の非記録部２２とでは半径位置が異なるため、両者が離れてすぎていると片方のみがヘッドスライダ１０５の幅内に入ることが多くなる。このため、ワイドランドトラック１２と第２の非記録部２２との径方向の距離は短い方が好ましい。したがって、図８に示したように、ワイドランドトラック１２と第２の非記録部２２とが互いに隣接していることが好ましい。
【００４８】
図１０に本発明に係る第５の磁気記録媒体の平面図を示す。図１０の磁気記録媒体では、ワイドランドトラック１２の近傍に設けられた第２の非記録部２２の幅Ｇ２が記録再生ヘッドの再生幅ＭＲＷより広くなっている。
【００４９】
ＤＴＲ媒体においては、非記録部に磁気記録がなされないという特性が要求されるが、媒体作製時に生じる加工ばらつきによっては、非記録部が磁気記録可能な状態になることがあり得る。装置出荷時に非記録部の信号検査を行うことにより、不良品の媒体を選別することができる。
【００５０】
図１０に示したように、第２の非記録部２２の幅Ｇ２が記録再生ヘッドの再生幅ＭＲＷより広くなっていると、磁気記録ヘッドを第２の非記録部２２にアクセスさせて、隣接する磁性パターンからの影響を受けずに、第２の非記録部２２のみの信号を読み取ることができ、非記録部の特性を評価することができる。
【００５１】
図１１に本発明に係る第６の磁気記録媒体の平面図を示す。図１１の磁気記録媒体では、ワイドランドトラック１２の幅Ｌ２と、記録トラック１１の幅Ｌ１および第１の非記録部の２１幅Ｇ１とが、下記の関係
Ｌ２≧Ｌ１＋２Ｇ１
を満たしている。
【００５２】
再生素子により目的とする記録トラック１１で再生することを考えると、隣接する記録トラック１１からの再生信号の干渉を抑えるために、再生素子の再生幅ＭＲＷは記録トラック１１の幅Ｌ１およびその両側の２つの非記録部２１の幅Ｇ１の合計よりも狭いことが要求され、ＭＲＷ＜Ｌ１＋２Ｇ１となる。一方、上述したように、再生素子の再生幅ＭＲＷはワイドランドトラック２２の幅Ｌ２よりも狭いことが必要であり、ＭＲＷ＜Ｌ２となる。
【００５３】
本発明の磁気記録装置においては、ワイドランドトラック１２における検査の結果に基づいて、記録再生ヘッドの浮上高および記録再生素子の電流電圧を調整する。調整前の記録素子の記録幅ＭＷＷ（magnetic write width）は記録再生ヘッドの浮上高および記録再生素子の電流電圧等によって変動する。当該検査において調整時の測定値を正しく把握するためには、ワイドランドトラック１２の幅Ｌ２をある程度広くすることが必要である。一方、記録トラック１１では、ワイドランドトラック１２での検査および調整後の最適値で記録再生を行うので、記録トラック１１および両端の非記録部２１の幅に余裕を取る必要はない。また、記録密度を上げるためには、媒体上で大部分の面積を占める記録トラック１１を狭いトラックピッチで形成することが望ましい。これらの理由から、ワイドランドトラック１２の幅Ｌ２は、記録トラック１１の幅ｌ１とその両側の２つの非記録部２１の幅との和Ｌ１＋２Ｇ１と同じか広いことが好ましい。
【００５４】
本発明の磁気記録媒体において、ワイドランドトラックの本数は記録トラックの本数より少ないことが好ましい。ワイドランドトラックは検査工程に用いられるが、ユーザーデータの磁気記録には用いられないため、ワイドランドトラックの占有面積が大きいほど記録容量が減少する。また、ワイドランドトラックを用いた検査工程は媒体全面で行う必要はなく、媒体の中周部、または内周部、中周および外周など、媒体の一部分で実施できればよい。したがって、記録容量を確保するために、ワイドランドトラックの本数は記録トラックの本数より少ないことが好ましい。
【００５５】
本発明の磁気記録媒体において、ワイドランドトラックの内周側および外周側に１つ以上の記録トラックを有していることが好ましい。本発明の磁気記録装置は、回転する磁気記録媒体上で浮上するヘッドスライダを有する。ヘッドスライダの浮上高は媒体表面の凹凸形状の影響を受ける。特に、ワイドランドトラック近傍では磁性パターン（凸部）の幅と第２の非記録部（凹部）の幅が、記録トラック（凸部）と第１の非記録部（凹部）と比較して急激に変化するので、ヘッドスライダの浮上高が影響を受けやすい。この影響を最小限にするため、ワイドランドトラック近傍の媒体形状は、記録トラックに近いことが望ましい。具体的には、ワイドランドトラックの両側に記録トラックが形成されていることが好ましい。したがって、図６に示したように、ワイドランドトラック１２の内周側および外周側に１つ以上の記録トラック１１を有していることが好ましい。
【００５６】
本発明の磁気記録装置においては、再生ヘッドと記録ヘッドがヘッドスライダ上でトラック方向に距離を置いて並んでいるため、スキュー角に応じて傾いたスライダのトラック方向に対する角度の分、記録再生時にヘッドの位置調整を必要とする。記録再生ヘッドのスキュー角ゼロの位置にワイドランドトラックを設けることによってオフセット量を減らした位置で評価をすることが好ましい。
【００５７】
本発明の磁気記録装置においては、図５に示したように、記録再生ヘッドを含むヘッドスライダ１０５はアクチュエータアーム１０３を介してサスペンション１０４の先端に取り付けられており、ヘッドの軌跡はボイスコールモータ（ＶＣＭ）１０６によって駆動されるアクチュエータアーム１０３の回転に沿って円弧状になる。このため、記録トラックに対する記録再生素子の角度すなわちスキュー角はアクチュエータアーム１０３の位置により変動する。
【００５８】
本発明の磁気記録装置の検査は、記録再生素子のスキュー角ゼロの位置で実施することが好ましい。したがって、本発明の磁気記録媒体において、検査を実施するワイドランドトラックはスキュー角ゼロの位置に設けることが好ましい。ただし、本発明の磁気記録媒体におけるワイドランドトラックは、必ずしもスキュー角ゼロの位置のみに限定して設ける必要はなく、内周部から外周部までの種々の領域で検査を行えるように複数の領域に設けてもよい。
【００５９】
本発明の磁気記録装置においては、ワイドランドトラック上で記録再生ヘッドを浮上させて記録再生を行うことにより、記録再生ヘッドの浮上高検査、記録再生ヘッドの電圧電流検査および信号劣化検査のいずれかの検査を行い、その検査結果に基づいて磁気記録装置の各種パラメータを調整する。
【００６０】
図１２（ａ）〜（ｇ）を参照しながら、本発明に係るＤＴＲ媒体の製造方法を説明する。
【００６１】
まず、図１２（ａ）〜（ｃ）のようにして、インプリントスタンパを製造する。図１２（ａ）に示すように、スタンパ用の基板４１上に電子線レジスト４２を塗布する。基板としてはＳｉ基板またはガラス基板を用いることが好ましい。図１２（ｂ）に示すように、記録トラック間および記録トラックとワイドランドトラックとの間の非記録部に対応するパターンを電子線描画し、現像処理を行うことにより、レジスト４２の表面に凹凸パターンを形成する。図１２（ｃ）に示すように、基板４１上の電子線レジスト４２上にＮｉ電鋳層を形成し、これを剥離することによって凹凸パターンを有するスタンパ４３を得る。スタンパ４３表面に転写された凹凸パターンは、レジスト４２の凹凸パターンが反転した形態になっている。なお、スタンパの材料としてはＮｉが好ましいが、これに限定されない。
【００６２】
次に、図１２（ｄ）〜（ｇ）のようにして、インプリント法を用いてＤＴＲ媒体を製造する。スタンパ４３表面の凹部は磁性パターン（記録トラックまたはワイドランドトラック）、凸部は非記録部に対応する。スタンパ上において、ワイドランドトラックに相当する部分は記録トラックより幅の広い凹部、ワイドランドトラックの近傍に設けられる第２の非記録部に相当する部分は記録トラック間の第１の非記録部より幅の広い凸部である。
【００６３】
図１２（ｄ）に示すように、媒体基板５１上に磁気記録層５２を成膜する。磁気記録層５２上にインプリント用のレジスト５３を塗布する。図１２（ｅ）に示すように、媒体基板５１表面のレジスト５３にスタンパ４３を対向させ、スタンパ４３と媒体基板５１との間に圧力をかけて押し付け、スタンパ４３表面の凹凸パターンをレジスト５３に転写した後、スタンパ４３を剥離する。
【００６４】
インプリントの際、ワイドランドトラックと幅の広い第２の非記録部との距離が１ｍｍ以上であると、第２の非記録部に対応するスタンパ上の幅の広い凸部によって周囲に押しのけられたレジストが、ワイドランドトラックに対応するスタンパ上の幅の広い凹部まで到達しなくなる。この結果、ワイドランドトラックに対応するレジストの凸部は十分な高さにならないおそれがある。この場合、後工程でレジスト凹部の磁気記録層をエッチングする際に、ワイドランドトラック表面の磁気記録層もエッチングされることがある。
【００６５】
これに対して、ワイドランドトラックと幅の広い第２の非記録部の距離が１ｍｍ以内であれば、ワイドランドトラックに対応するレジストの凸部で十分な高さになる。この場合、
後工程でレジスト凹部の磁気記録層をエッチングする際に、ワイドランドトラック表面の磁気記録層がエッチングされることはない。
【００６６】
図１２（ｆ）に示すように、凹凸パターンが転写されたレジスト５３をマスクとして、磁気記録層５２をエッチングして非記録部に対応する凹部を形成する。図１２（ｇ）に示すように、凹部を非磁性体で埋め込み、表面を平坦化することにより、非記録部５４を形成する。なお、媒体表面を完全に平坦化する必要はなく、媒体表面に凹凸が残っていてもよい。その後、全面にカーボン保護膜５５を成膜する。さらにカーボン保護膜５５上に潤滑剤を塗布してＤＴＲ媒体を製造する。
【実施例】
【００６７】
以下、本発明における磁気記録装置の検査方法および調整方法について説明する。
【００６８】
［ヘッド浮上高の調整］
記録再生ヘッドをワイドランドトラック上に位置決めし、記録波長λ1［ｎｍ］で無変調の連続矩形波を記録した。ヘッドの最大浮上高がＨ0［ｎｍ］となるように、浮上高調整量をＤ0に設定して、位置決め誤差量ＰＥ0を取得した。最大浮上高Ｈ0よりも少しずつ低くなるようにヘッドの浮上高調整量を逐次設定しながら、位置決め誤差量ＰＥを取得し、ＰＥ＞ＰＥ0となった最初の浮上高調整量を、浮上高Ｈ1＝０［ｎｍ］に相当する浮上高調整量Ｄ1とした。先に記録した無変調の連続矩形波を再生し、再生信号を逐次Ａ／Ｄ変換し、高速フーリエ変換によって再生信号中の記録波長λ1［ｎｍ］の信号成分（基本波成分）の振幅Ｖ1と、再生信号中のλ3＝λ1÷３［ｎｍ］の信号成分（第３次高調波成分）の振幅Ｖ3を算出し、振幅比Ｒ0＝Ｖ1／Ｖ3を取得した。ヘッド浮上高が最小浮上高Ｈ1よりも少しずつ高くなるように、浮上高調整量Ｄを逐次設定しながら、同様に振幅比Ｒを取得した。また、次式により、振幅比がＲであるときの浮上高さＨ［ｎｍ］を逐次推定した。
【００６９】
Ｈ＝Ｋ（３・λ3）ｌｏｇ（Ｒ／Ｒ0）／４π      （１）
（１）式において、Ｒは取得した振幅比、Ｒ0は最小浮上高Ｈ0における振幅比、ｌｏｇは自然対数を示す。Ｋは測定補正係数を表し、個々の媒体の凹凸パターンの設計に依存する。
【００７０】
ここで、従来のＤＴＲ媒体に組み込んだ磁気記録装置では、記録トラックの凹凸パターンの設計に応じて補正係数Ｋが変化したため、凹凸パターンの設計変更毎に補正係数Ｋを算定する必要があった。このため、ヘッド浮上高の調整に長時間を要した。
【００７１】
これに対して、本発明に係るワイドランドトラックを有するＤＴＲ媒体を組み込んだ磁気記録装置では、凹凸パターンの設計に依らずワイドランドトラックの補正係数Ｋを一意に決定できた。このため、ヘッド浮上高を調整している間に補正係数Ｋを導出する必要がなく、ヘッド浮上高の調整時間を短縮できた。
【００７２】
逐次推定した浮上高Ｈ［ｎｍ］と目標浮上高Ｈ1［ｎｍ］とを比較して、Ｈ≧Ｈ1［ｎｍ］となった時点での浮上高調整量Ｄ1を取得し、これに基づいてヘッド浮上高を調整することができた。
【００７３】
［再生素子のバイアス電圧調整］
記録再生ヘッドをワイドランドトラック上に位置決めし、線記録密度ＬＤ［Ｍｂｉｔ／ｍｍ2］で変調信号を記録した。再生素子のバイアス電圧をＶＢ0［ｍＶ］からＶＢ2［ｍＶ］（ＶＢ0＜ＶＢ2）まで変化させながら、先に記録した信号を再生・復調し、誤り率ＥＲを算出した。得られた誤り率のうち最低値ＥＲ1に対応するＶＢ1を再生素子のバイアス電圧とした。このようにして、誤り率が最も低くなる、最適な再生素子バイアス電圧を決定できた。
【００７４】
［記録素子の電流調整］
記録再生ヘッドをワイドランドトラックでない記録トラック上に位置決めし、記録電流をＩｗ0［ｍＡ］からＩｗ2［ｍＡ］（Ｉｗ0＜Ｉｗ2）まで変化させ、線記録密度ＬＤ［Ｍｂｉｔ／ｍｍ2］で変調信号を記録した。それぞれの記録電流で記録した信号を再生・復調し、誤り率ＥＲを算出した。得られた誤り率のうち最低値ＥＲ1を求めたところ、磁気記録装置の記録再生性能として許容される誤り率ＥＲtと比較してＥＲ1＞ＥＲtであったため、当該ヘッドと媒体の組み合わせでは記録再生性能が不足することがわかった。
【００７５】
ここで、従来のＤＴＲ媒体に組み込んだ磁気記録装置では、記録再生性能が不足する原因が、記録再生ヘッドの設計もしくは品質に依存するのか、または媒体の設計もしくは品質に起因するのか、特定することが不可能であった。
【００７６】
本発明に係るワイドランドトラックを有するＤＴＲ媒体を組み込んだ磁気記録装置で、記録再生ヘッドをワイドランドトラック上に位置決めして、上記と同様な検査を行ったところＥＲ1＜ＥＲtとなり、磁気記録装置の所望の記録再生性能を満足した。この検査の結果から、媒体の設計または品質に問題があることが明確になり、記録再生性能を満足するためには媒体の設計または品質を向上させればよいことが判断できた。
【００７７】
［信号劣化検査］
記録再生ヘッドをワイドランドトラックでない記録トラック上に位置決めし、線記録密度ＬＤ［Ｍｂｉｔ／ｍｍ2］で変調信号を記録した。記録後間もない経過時刻ｔ0において、先に記録した信号を再生・復調し、誤り率ＥＲ0を算出した。経過時刻ｔ0からｔ1（ｔ0＜ｔ1）の間、一定時間間隔で先に記録した信号を再生・復調し、誤り率ＥＲを逐次算出した。記録品質の劣化速度を推定するために、ｔ0からｔ1の間の単位時間当たりの誤り率の増大速度ΔＥＲ／ｔを、逐次算出した誤り率ＥＲの結果から近似により導出した。導出した誤り率の増大速度を所望の製品寿命ｔ2まで外挿して、誤り率ＥＲ0＋（ΔＥＲ／ｔ×ｔ2）を算出した。この誤り率を、磁気記録装置の記録保持性能を保証するために許容される誤り率ＥＲＴと比較したときに、ＥＲ０＋（ΔＥＲ／ｔ×ｔ２）＞ＥＲＴとなり、当該ヘッドと媒体の組み合わせでは磁気記録装置の記録保持性能が不足することがわかった。
【００７８】
ここで、従来のＤＴＲ媒体に組み込んだ磁気記録装置では、記録保持性能が不足する原因が、記録再生ヘッドの設計もしくは品質に依存するのか、または媒体の設計もしくは品質に起因するのか、特定することが不可能であった。
【００７９】
本発明に係るワイドランドトラックを有するＤＴＲ媒体を組み込んだ磁気記録装置で、記録再生ヘッドをワイドランドトラック上に位置決めして、上記と同様な検査を行ったところＥＲ1＜ＥＲＴとなり、磁気記録装置の所望の記録保持性能を満足した。この検査の結果から、媒体の設計または品質に問題があることが明確となり、記録保持性能を満足するためには媒体の設計または品質を向上させればよいことが判断できた。
【００８０】
［非記録部の検査］
記録媒体ＡまたはＢを組み込んだ磁気記録装置ＡまたはＢにおいて、記録再生ヘッドをワイドランドトラック上、およびワイドランドトラックの両側にあるＭＲＷより広い幅Ｇ２を有する第２の非記録部上に位置決めし、それぞれ、一定周波数の信号を記録した後に再生して信号強度を測定した。ワイドランドトラックでの信号強度に対する非記録部での信号強度の比が、装置Ａでは０．０％、装置Ｂでは３０％となった。
【００８１】
次に、記録トラックにおいて複数回隣接記録テストを行った。その結果、装置Ａは合格、装置Ｂは不合格であった。記録媒体Ａ、Ｂの構造を分析したところ、記録媒体Ａでは凹部の磁気記録層が完全に除去されていたのに対し、記録媒体Ｂでは凹部に磁気記録層が残っていることが確認された。
【００８２】
上記の複数回隣接記録テストの実施には約１時間を要する。これに対して、ワイドランドトラックの両側にあるＭＲＷより広い幅Ｇ２を有する第２の非記録部上に位置決めして行う非記録部の検査は約１分で完了する。したがって、非記録部の検査に基づく評価を事前に行って不良品を排除することにより、複数回隣接記録テストでの合格率を上昇させることができ、検査時間を短縮できた。
【００８３】
［ＤＴＲ媒体の製造例］
製造したＤＴＲ媒体は１．８インチ径である。磁性パターンと非記録部が形成された表面の凹凸は１０ｎｍであった。記録トラックのトラックピッチを３２５ｋＴＰＩ（７８ｎｍ）、記録トラックの幅Ｌ１を５２ｎｍ、記録トラック間の第１の非記録部の幅Ｇ１を２６ｎｍとした。ワイドランドトラックの幅は５０μｍとした。第２の非記録部の設計を変えて、以下の３種のＤＴＲ媒体を製造した。
【００８４】
（１）幅Ｇ２の第２の非記録部を設けていないＤＴＲ媒体。
【００８５】
（２）ワイドランドトラックから１ｍｍ離れた位置に幅Ｇ２が２５μｍである第２の非記録部を設けたＤＴＲ媒体。
【００８６】
（３）幅５０μｍのワイドランドトラックの両側に幅Ｇ２が２５μｍである第２の非記録部を設けたＤＴＲ媒体。
【００８７】
１ｍｍ×１ｍｍのヘッドスライダを用い、媒体表面から１０ｎｍの浮上高で記録再生を行った。再生素子による再生幅ＭＲＷは８０ｎｍであった。
【００８８】
（１）のＤＴＲ媒体では、ワイドランドトラックを含む領域にヘッドスライダがアクセスしたときに、浮上高が０．０５ｎｍ上がり、信号強度が低下した。
【００８９】
（２）のＤＴＲ媒体では、ワイドランドトラックおよび１ｍｍ離れた第２の非磁性部を含む領域にヘッドスライダがアクセスしたときには、浮上高さは変わらなかった。
【００９０】
（３）のＤＴＲ媒体では、ワイドランドトラックおよび両側の第２の非磁性部を含む領域にヘッドスライダがアクセスしたときに、ほとんどの領域で浮上高の変化はなかった。
【符号の説明】
【００９１】
１…磁気記録媒体（ＤＴＲ媒体）、２…データ領域、３…サーボ領域、１１…記録トラック、１２…ワイドランドトラック、２０…非記録部、２１…第１の非記録部、２２…第２の非記録部、３１…プリアンブル部、３２…アドレス部、３３…バースト部、４１…スタンパ用の基板、４２…電子線レジスト、４３…スタンパ、５１…媒体基板、５２…磁気記録層、５３…レジスト、５４…非記録部、５５…カーボン保護膜、１００…ヘッド・ディスクアセンブリ（ＨＤＡ）、１０１…スピンドルモータ、１０２…ピボット、１０３…アクチュエータアーム、１０４…サスペンション、１０５…ヘッドスライダ、１０６…ボイスコイルモータ（ＶＣＭ）、１２０…フレキシブルケーブル（ＦＰＣ）、２００…プリント回路基板（ＰＣＢ）、２１０…ディスクコントローラ（ＨＤＣ）、２２０…リード／ライトチャネルＩＣ、２３０…ＭＰＵ、２４０…モータドライバＩＣ。
【図１】
2010257529.tif 000003
【図２】
2010257529.tif 000004
【図３】
2010257529.tif 000005
【図４】
2010257529.tif 000006
【図５】
2010257529.tif 000007
【図６】
2010257529.tif 000008
【図７】
2010257529.tif 000009
【図８】
2010257529.tif 000010
【図９】
2010257529.tif 000011
【図１０】
2010257529.tif 000012
【図１１】
2010257529.tif 000013
【図１２】
2010257529.tif 000014
【図１３】
2010257529.tif 000015
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
記録再生ヘッドを有するヘッドスライダと、
磁気記録媒体であって、
磁気記録可能な幅Ｌ１の記録トラックと、
隣接する記録トラック間の非記録部と、
Ｌ１より広い幅Ｌ２をもつワイドランドトラックと
を有する磁気記録媒体と
を具備したことを特徴とする磁気記録装置。
【請求項２】
Ｌ１は前記記録再生ヘッドの再生幅ＭＲＷより狭く、Ｌ２はＭＲＷより広いことを特徴とする請求項１に記載の磁気記録装置。
【請求項３】
記録トラックの両側に隣接する非記録部は、幅Ｇ１をもつ第１の非記録部と、Ｇ１より広い幅Ｇ２をもつ第２の非記録部とを含み、前記第２の非記録部は、前記ワイドランドトラックの内側と前記第２の非記録部の外側との間の幅が前記ヘッドスライダの幅よりも小さくなるように設けられていることを特徴とする請求項１に記載の磁気記録装置。
【請求項４】
前記第２の非記録部は前記ワイドランドトラックに隣接していることを特徴とする請求項３に記載の磁気記録装置。
【請求項５】
Ｇ２は、ＭＲＷより広いことを特徴とする請求項３に記載の磁気記録装置。
【請求項６】
前記ワイドランドトラックの内周側および外周側に、１つ以上の記録トラックを有することを特徴とする請求項１に記載の磁気記録装置
【請求項７】
前記ワイドランドトラックは、前記ヘッドスライダのスキュー角がゼロである位置にあることを特徴とする請求項１に記載の磁気記録装置。
【請求項８】
磁気記録可能な幅Ｌ１の記録トラックと、
隣接する記録トラック間に設けられた非記録部と、
Ｌ１より広い幅Ｌ２をもつワイドランドトラックと
を具備したことを特徴とする磁気記録媒体。
【請求項９】
記録トラックの両側に隣接する非記録部は、幅Ｇ１をもつ第１の非記録部と、Ｇ１より広い幅Ｇ２をもつ第２の非記録部とを含み、前記ワイドランドトラックから径方向に１ｍｍの範囲内に前記第２の非記録部が設けられていることを特徴とする請求項８に記載の磁気記録装置。
【請求項１０】
前記第２の非記録部は前記ワイドランドトラックに隣接していることを特徴とする請求項９に記載の磁気記録装置。
【請求項１１】
Ｌ１、Ｌ２、およびＧ１は、
Ｌ２≧Ｌ１＋２Ｇ１
を満たすことを特徴とする請求項９に記載の磁気記録媒体。
【請求項１２】
前記ワイドランドトラックの内周側および外周側に、１つ以上の記録トラックを有することを特徴とする請求項８に記載の磁気記録媒体。
【請求項１３】
請求項１に記載の磁気記録装置の検査方法であって、
前記ワイドランドトラックを用いて検査を行うことを含み、前記検査は前記ヘッドスライダの浮上高検査、前記記録再生ヘッドの電圧電流検査、および信号劣化検査から選択されることを特徴とする磁気記録装置の検査方法。
【請求項１４】
記録トラックの両側に隣接する非記録部は、幅Ｇ１をもつ第１の非記録部と、Ｇ１より広い幅Ｇ２をもつ第２の非記録部とを含み、前記第２の非記録部は、前記ワイドランドトラックの内側と前記第２の非記録部の外側との間の幅が前記ヘッドスライダの幅よりも小さくなるように設けられており、
さらに、前記第２の非記録部を用いて、非記録部の磁気特性検査を行うことを含むことを特徴とする請求項１３に記載の磁気記録装置の検査方法。
【手続補正書】
【提出日】平成22年8月20日(2010.8.20)
【手続補正１】
【補正対象書類名】明細書
【補正対象項目名】００１０
【補正方法】変更
【補正の内容】
【００１０】
本発明の一実施形態によれば、記録再生ヘッドを有するヘッドスライダと、磁気記録媒体であって、磁気記録可能な幅Ｌ１の記録トラックと、隣接する記録トラック間の非記録部と、前記Ｌ１より広い幅Ｌ２をもつワイドランドトラックと有する磁気記録媒体とを具備し、前記Ｌ１は前記記録再生ヘッドの再生幅ＭＲＷより狭く、前記Ｌ２はＭＲＷより広いことを特徴とする磁気記録装置が提供される。
【手続補正２】
【補正対象書類名】明細書
【補正対象項目名】００１１
【補正方法】変更
【補正の内容】
【００１１】
本発明の他の実施形態によれば、磁気記録可能な幅Ｌ１の記録トラックと、隣接する記録トラック間に設けられた非記録部と、前記Ｌ１より広い幅Ｌ２をもつワイドランドトラックとを具備し、記録トラックの両側に隣接する非記録部は、幅Ｇ１をもつ第１の非記録部と、Ｇ１より広い幅Ｇ２をもつ第２の非記録部とを含み、前記ワイドランドトラックから径方向に１ｍｍの範囲内に前記第２の非記録部が設けられていることを特徴とする磁気記録媒体が提供される。
【手続補正３】
【補正対象書類名】明細書
【補正対象項目名】００９０
【補正方法】変更
【補正の内容】
【００９０】
（３）のＤＴＲ媒体では、ワイドランドトラックおよび両側の第２の非磁性部を含む領域にヘッドスライダがアクセスしたときに、ほとんどの領域で浮上高の変化はなかった。  
以下に、本願出願の当初の特許請求の範囲に記載された発明を付記する。
［１］  磁気記録可能な幅Ｌ１の記録トラックと、隣接する記録トラック間に設けられた非記録部と、前記記録トラックの幅Ｌ１より広い幅Ｌ２をもつワイドランドトラックとを有する磁気記録媒体と、記録再生ヘッドを有するヘッドスライダとを具備したことを特徴とする磁気記録装置。
［２］  前記記録トラックの幅Ｌ１は前記記録再生ヘッドの再生幅ＭＲＷより狭く、前記ワイドランドトラックの幅Ｌ２は前記記録再生ヘッドの再生幅ＭＲＷより広いことを特徴とする［１］に記載の磁気記録装置。
［３］  前記記録トラックの両側に隣接するいずれか狭い方の第１の非記録部の幅をＧ１としたとき、前記ヘッドスライダの幅内で前記ワイドランドトラックの近傍に第１の非記録部の幅Ｇ１よりも広い幅Ｇ２をもつ第２の非記録部が設けられていることを特徴とする［１］に記載の磁気記録装置。
［４］  前記第２の非記録部は前記ワイドランドトラックに隣接していることを特徴とする［３］に記載の磁気記録装置。
［５］  前記第２の非記録部の幅Ｇ２は、前記記録再生ヘッドの再生幅ＭＲＷより広いことを特徴とする［３］に記載の磁気記録装置。
［６］  前記ワイドランドトラックの内周側および外周側に、１つ以上の記録トラックを有することを特徴とする［１］に記載の磁気記録装置。
［７］  前記ワイドランドトラックは、前記ヘッドスライダのスキュー角がゼロである位置に設けられていることを特徴とする［１］に記載の磁気記録装置。
［８］  磁気記録可能な幅Ｌ１の記録トラックと、隣接する記録トラック間に設けられた非記録部と、前記記録トラックの幅Ｌ１より広い幅Ｌ２をもつワイドランドトラックと
を具備したことを特徴とする磁気記録媒体。
［９］  前記記録トラックの両側に隣接するいずれか狭い方の第１の非記録部の幅をＧ１としたとき、前記ワイドランドトラックから径方向に１ｍｍの範囲内に前記第１の非記録部の幅Ｇ１よりも広い幅Ｇ２をもつ第２の非記録部が設けられていることを特徴とする［８］に記載の磁気記録装置。
［１０］  前記第２の非記録部は前記ワイドランドトラックに隣接していることを特徴とする［９］に記載の磁気記録装置。
［１１］  前記ワイドランドトラックの幅Ｌ２は、前記記録トラックの幅Ｌ１および前記第１の非記録部の幅Ｇ１と、下記の関係
Ｌ２≧Ｌ１＋２Ｇ１
を満たすことを特徴とする［８］に記載の磁気記録媒体。
［１２］  前記ワイドランドトラックの内周側および外周側に、１つ以上の記録トラックを有することを特徴とする［８］に記載の磁気記録媒体。
［１３］  ［１］〜［７］のいずれかに記載の磁気記録装置の検査方法であって、前記ワイドランドトラックを用いて、前記ヘッドスライダの浮上高検査、前記記録再生ヘッドの電圧電流検査、および信号劣化検査から選択される検査を行うことを特徴とする磁気記録装置の検査方法。
［１４］  前記第２の非記録部を用いて、非記録部の磁気特性検査を行うことを特徴とする［１３］に記載の磁気記録装置の検査方法。
【手続補正４】
【補正対象書類名】特許請求の範囲
【補正対象項目名】全文
【補正方法】変更
【補正の内容】
【特許請求の範囲】
【請求項１】
記録再生ヘッドを有するヘッドスライダと、
磁気記録媒体であって、
磁気記録可能な幅Ｌ１の記録トラックと、
隣接する記録トラック間の非記録部と、
前記Ｌ１より広い幅Ｌ２をもつワイドランドトラックと
を有する磁気記録媒体と
を具備し、前記Ｌ１は前記記録再生ヘッドの再生幅ＭＲＷより狭く、前記Ｌ２はＭＲＷより広いことを特徴とする磁気記録装置。
【請求項２】
記録トラックの両側に隣接する非記録部は、幅Ｇ１をもつ第１の非記録部と、Ｇ１より広い幅Ｇ２をもつ第２の非記録部とを含み、前記第２の非記録部は前記ワイドランドトラックに隣接していることを特徴とする請求項１に記載の磁気記録装置。
【請求項３】
記録トラックの両側に隣接する非記録部は、幅Ｇ１をもつ第１の非記録部と、Ｇ１より広い幅Ｇ２をもつ第２の非記録部とを含み、前記Ｇ２は前記ＭＲＷより広いことを特徴とする請求項１に記載の磁気記録装置。
【請求項４】
磁気記録可能な幅Ｌ１の記録トラックと、
隣接する記録トラック間に設けられた非記録部と、
前記Ｌ１より広い幅Ｌ２をもつワイドランドトラックと
を具備し、記録トラックの両側に隣接する非記録部は、幅Ｇ１をもつ第１の非記録部と、Ｇ１より広い幅Ｇ２をもつ第２の非記録部とを含み、前記ワイドランドトラックから径方向に１ｍｍの範囲内に前記第２の非記録部が設けられていることを特徴とする磁気記録媒体。
【請求項５】
前記第２の非記録部は前記ワイドランドトラックに隣接していることを特徴とする請求項４に記載の磁気記録媒体。
【請求項６】
前記Ｌ１、Ｌ２、およびＧ１は、
Ｌ２≧Ｌ１＋２Ｇ１
を満たすことを特徴とする請求項４に記載の磁気記録媒体。
【請求項７】
記録再生ヘッドを有するヘッドスライダと、
磁気記録媒体であって、
磁気記録可能な幅Ｌ１の記録トラックと、
隣接する記録トラック間の非記録部と、
前記Ｌ１より広い幅Ｌ２をもつワイドランドトラックと
を有し、記録トラックの両側に隣接する非記録部は、幅Ｇ１をもつ第１の非記録部と、Ｇ１より広い幅Ｇ２をもつ第２の非記録部とを含み、前記ワイドランドトラックから径方向に１ｍｍの範囲内に前記第２の非記録部が設けられている磁気記録媒体と
を具備する磁気記録装置を検査する方法であって、
前記第２の非記録部を用いて、非記録部の磁気特性検査を行う
ことを特徴とする磁気記録装置の検査方法。